(57)【要約】      （修正有）【課題】ダウンライト用照明器具に装着することができる電球形照明光源を提供する。【解決手段】ＬＥＤランプ５は、碗状の器具本体９とソケット１１とを備えるダウンライト用照明器具３に取り付けられる。ＬＥＤランプ５は、ソケット１１に装着される口金を有する本体部１９と、前記口金を介して給電を受けて発光する複数のＬＥＤ素子を備える発光部１７と、本体部１９と発光部１７とを着脱自在に連結する連結部２３とを備え、本体部１９は、器具本体９内でソケット１１への装着が許容される大きさであり、発光部１７は、ソケット１１に装着されている本体部１９に対して連結部２３により着脱自在である。【選択図】図１
2011129358.tif 000002
【特許請求の範囲】
【請求項１】
碗状の器具本体とソケットとを備えるダウンライト用照明器具に取り付けられる電球形照明光源であって、
前記ソケットに装着される口金を有する本体部と、
前記口金を介して給電を受けて発光する１又は複数の発光素子を備える発光部と
を備え、
前記本体部は、前記器具本体内で前記ソケットへの装着が許容される大きさであり、
前記発光部は、前記ソケットに装着されている本体部に対して着脱自在である
ことを特徴とする電球形照明光源。
【請求項２】
前記発光部は、前記本体部に装着された状態で前記本体部に対して屈曲自在である
ことを特徴とする請求項１に記載の電球形照明光源。
【請求項３】
前記口金は、前記ソケットに対し回転されながら装着されるねじ込み式であり、
前記口金は、前記発光部に対して独立して、前記回転の中心軸周りに回転自在である
ことを特徴とする請求項１又は２に記載の電球形照明光源。
【請求項４】
前記本体部は、当該本体部の中心軸が前記器具本体の中心軸に対して１００度以上１４０度以下の角度傾斜した状態で、前記ソケットに装着され、
前記本体部と前記発光部との屈曲中心が、前記口金がソケットに装着された状態では前記中心軸上に位置する
ことを特徴とする請求項２に記載の電球形照明光源。
【請求項５】
前記本体部は、前記発光素子を点灯させる回路ユニットを内部に格納する
ことを特徴とする請求項１〜４の何れか１項に記載の電球形照明光源。
【発明の詳細な説明】
【技術分野】
【０００１】
本発明は、照明器具に装着されて使用される電球形照明光源に関する。
【背景技術】
【０００２】
照明器具として、天井や壁面に埋設され、壁面や床面の照明を行う、所謂ダウンライト用照明器具（以下、単に、「照明器具」ともいう。）がある。この照明器具は、白熱電球や電球形蛍光ランプ等の光源と電気的に接続され且つ光源を保持するソケットと、ソケットに保持された前記光源から発せられた光を所定方向に反射させる反射板とを備える。なお、ソケットと反射板とは、ソケットが反射板に対して所定位置となるように固定部材により固定されている。
【０００３】
ダウンライト用照明器具に、小型なミニクリプトン電球を光源としたものがある。このミニクリプトンを光源とする照明器具は、ミニクリプトン電球自体が小さいことから、ミニクリプトン電球を格納する空間を小さくすることで、反射板の小型化が図られ、照明器具としても小型化が図られる。
特に近年、ミニクリプトン電球を反射板の中心軸に対して横向きに取付ける構造にして、反射板の中心軸方向の寸法を小さくして、反射鏡の厚み（天井や壁の厚さ方向の寸法である。）を薄くしたタイプもある（非特許文献１参照）。
【０００４】
一方、近年、省エネルギー化や光源取替え回数の削減等を目的として、電球（白熱電球、ミニクリプトン電球、電球形蛍光ランプ等を含む。）に使用されていたソケットに取付けることができ、電球等よりも発光効率が高く、しかも長寿命な半導体発光素子（例えば、ＬＥＤ素子である。）を用いた電球形照明光源（以下、「電球形ＬＥＤランプ」ともいう。）が開発されている（特許文献１）。
【先行技術文献】
【特許文献】
【０００５】
【特許文献１】特開２００８−２５１４４４号公報
【非特許文献】
【０００６】
【非特許文献１】http://panasonic-denko.co.jp/Ebox/online_contents/jpegkgm/NL77440K.jpg
【発明の概要】
【発明が解決しようとする課題】
【０００７】
しかしながら、上記の電球形ＬＥＤランプは、ＬＥＤ素子発光用の専用の回路ユニットが必要であること、発光時にＬＥＤ素子の発生する熱による発光効率の低下を防ぐための放熱対策が必要であること等の事情があるため、ミニクリプトン電球と同等或いはそれよりも小さな寸法で同等の明るさを得ることは現時点での技術では困難である。つまり、ミニクリプトン電球よりも大きくなってしまうのである。
【０００８】
このため、ミニクリプトン用の既存のダウンライト用の照明器具に電球形ＬＥＤランプを装着することができないという課題が生じる。
本発明は、このような課題に鑑みてなされたもので、ダウンライト用照明器具に装着することができる電球形照明光源を提供することを目的とする。
【課題を解決するための手段】
【０００９】
上記目的を達成するために、本発明に係る電球形照明光源は、碗状の器具本体とソケットとを備えるダウンライト用照明器具に取り付けられる電球形照明光源であって、前記ソケットに装着される口金を有する本体部と、前記口金を介して給電を受けて発光する１又は複数の発光素子を備える発光部とを備え、前記本体部は、前記器具本体内で前記ソケットへの装着が許容される大きさであり、前記発光部は、前記ソケットに装着されている本体部に対して着脱自在であることを特徴としている。
【発明の効果】
【００１０】
本発明に係る電球形照明用光源では、本体部は、前記器具本体内で前記ソケットへの装着が許容される大きさであり、前記発光部は、前記ソケットに装着されている本体部に対して着脱自在であるため、本体部を先にソケットに装着させ、その後に発光部を本体部に装着することができ、結果として、当該電球形照明用光源を器具本体に装着することができる。
【００１１】
また、前記発光部は、前記本体部に装着された状態で前記本体部に対して屈曲自在であることを特徴とし、或いは、前記口金は、前記ソケットに対し回転されながら装着されるねじ込み式であり、前記口金は、前記発光部に対して独立して、前記回転の中心軸周りに回転自在であることを特徴としている。
また、前記本体部は、当該本体部の中心軸が前記器具本体の中心軸に対して１００度以上１４０度以下の角度傾斜した状態で、前記ソケットに装着され、前記本体部と前記発光部との屈曲中心が、前記口金がソケットに装着された状態では前記中心軸上に位置することを特徴とし、或いは、前記本体部は、前記発光素子を点灯させる回路ユニットを内部に格納することを特徴としている。
【図面の簡単な説明】
【００１２】
【図１】第１の実施の形態における照明装置の一部断面図である。
【図２】ＬＥＤランプの構成を説明する概略図である。
【図３】ＬＥＤランプの底面図である。
【図４】図３におけるＸ１−Ｘ１線断面を矢印方向から見た図である。
【図５】本体部を示す図であり、内部の様子が分かるように一部断面図で示す。
【図６】図５におけるＸ２−Ｘ２線における断面を矢印方向から見た図である。
【図７】図５におけるＸ３−Ｘ３線における断面を矢印方向から見た図である。
【図８】ＬＥＤランプの照明器具への装着方法についての説明図である。
【図９】第２の実施の形態における照明装置の一部断面図である。
【図１０】第２の実施の形態におけるＬＥＤランプを示す図である。
【図１１】発光部と本体部とを脱着させた状態を示す図であり、内部の様子が分かるように各部の一部を切り欠いている。
【図１２】ＬＥＤランプの照明器具への装着方法についての説明図である。
【図１３】第３の実施の形態における照明装置の一部断面図である。
【図１４】第３の実施の形態におけるＬＥＤランプを示す図である。
【図１５】ＬＥＤランプの発光部と本体部とを脱着させた状態を示す図であり、（ａ）は図１３及び図１４と同じ方向から見た図であり、（ｂ）は（ａ）の矢印Ａ方向から見た図である。
【図１６】第４の実施の形態における照明装置を示す図である。
【図１７】第４の実施の形態におけるＬＥＤランプの本体部を示す図である。
【図１８】変形例に係る照明装置の一部断面図である。
【発明を実施するための形態】
【００１３】
以下では、本発明の一例に係る実施の形態について説明する。なお、ここで説明する実施の形態は、本発明の構成及び作用・効果を分かりやすく説明するために用いる一例であって、本発明は、その本質的な特徴部分以外に何ら以下の形態に限定を受けるものではない。
以下、本発明に係る一の電球形照明光源（以下、「ＬＥＤランプ」という。）の実施の形態について、図面を参照しながら説明する。なお、本明細書では、照明装置は、照明器具に光源であるＬＥＤランプを取着したものをいう。
＜第１の実施の形態＞
１．照明装置の構成について
（１）全体構成
図１は実施の形態における照明装置の一部断面図である。なお、図１では、内部の構造が分かるように器具本体等の一部を切り欠いている。
【００１４】
照明装置１は、照明器具３とＬＥＤランプ５とを備え、照明器具３の一部（又は全部）が天井７の開口７ａを利用して天井７の裏側に配されることで、天井７から下方を照射する。なお、この照明器具３は、所謂、ダウンライト用である。
（２）照明器具
照明器具３は、器具本体９と、ソケット１１と、器具本体９をソケット１１に固定するための固定部材１３とを備え、ミニクリプトン用の既存の照明器具と同じ構成である。なお、言うまでもなく、照明器具は、ＬＥＤランプ用に製造されたものであっても良い。
【００１５】
器具本体９は、天井７の壁の厚さ方向であって、天井下面側に近づくに従って直径が大きくなる（天井側広がりである。）碗状をしている。つまり、器具本体の９の開口側端と反対の端から開口側の端に移るに従って器具本体９の中心軸と直交する直径が大きくなっている。
なお、照明器具３が既存のダウンライト用の照明器具の場合、器具本体９の内面９ａが反射面として構成されている。この反射面は、例えば、反射用の白色膜の形成や、器具本体が金属材料の場合には鏡面仕上げ加工等により構成される。
【００１６】
ソケット１１は筒状（例えば、円筒状）をし、その内面がＬＥＤランプ５の口金４３の外観形状に対応した形状をしている。当該口金４３をソケット１１に装着することで、ＬＥＤランプ５の照明器具３への装着を可能とすると共に口金４３と電気的に接続してＬＥＤランプ５に電力を供給する。なお、ソケット１１は、例えば、エジソンタイプ用（例えばＥ１７である。）であり、ミニクリプトン電球を光源として利用する既存の照明器具で採用・使用されている。
【００１７】
ソケット１１は、ソケット１１の中心軸Ｃ１と器具本体９の中心軸Ｃ２との間の角度Ａが例えば略１００度となるように、固定部材１３により器具本体９に対して固定されている。角度Ａの基準となる中心軸Ｃ２は、中心軸Ｃ１と中心軸Ｃ２との交点から延伸する２つの線分（図１において上方へ延伸する線分と下方に延伸する線分である。）のうち、照射方向（器具本体９の開口）に向かって延伸している線分である。
【００１８】
固定部材１３は、ここでは、板材をその中間で屈曲させてなる「Ｌ」字状をし、一方の端部１３ａが器具本体９の頂部９ｂにネジ１２により螺着されている。固定部材１３の他方の端部側の表面（器具本体９と対向している面である。）１３ｂにはソケット１１が、裏面１３ｃには商用電源と接続するための接続部１５が、それぞれ取着されている。
（３）ＬＥＤランプ
図２はＬＥＤランプ５の構成を説明する概略図である。
（ａ）全体
ＬＥＤランプ５は、１個又は複数個のＬＥＤ素子を備える発光部１７と、ソケット１１に装着される口金４３を有する本体部１９と、前記ＬＥＤ素子を発光させる回路ユニット２１とを備え、発光部１７は連結部２３を介して本体部１９に着脱自在に連結されている。
【００１９】
なお、本実施の形態では、回路ユニット２１は、後述するが、本体部１９内に収納されている。また、口金４３は、回転されながらソケット１１に装着されるねじ込みタイプであり、この口金４３の回転の中心軸を回転軸という。
（ｂ）発光部
図３はＬＥＤランプの底面図であり、図４は図３におけるＸ１−Ｘ１線断面を矢印方向から見た図である。
【００２０】
発光部１７は、１又は複数、ここでは４個の発光領域２５ａ，２５ｂ，２５ｃ，２５ｄを基板２７上に有する。なお、発光領域２５ａ，２５ｂ，２５ｃ，２５ｄは、他の発光領域と区別して説明する必要がある場合以外、単に、「発光領域２５」として表す。
発光部１７は、例えば、前記発光領域２５ａ，２５ｂ，２５ｃ，２５ｄに対応して形成されたＬＥＤ素子用の配線パターンを主面に有する基板２７と、発光領域２５ａ，２５ｂ，２５ｃ，２５ｄに対応して基板２７の主面に実装された１又は複数（ここでは、複数である。）のＬＥＤ素子（図４における符号「Ｌ１ｂ」、「Ｌ２ｂ」等である。）と、基板２７の主面に設けられ且つ発光領域２５ａ，２５ｂ，２５ｃ，２５ｄ内のすべてのＬＥＤ素子を封入する封入体２９ａ，２９ｂ，２９ｃ，２９ｄと、基板２７の前記主面と反対側の主面に固着された放熱板３１とを備える。
【００２１】
ＬＥＤ素子は、光源（ランプ）として必要とされる輝度、光束、光度等に対応してその仕様、配置位置、個数等が適宜決定され、図４においては、発光領域２５ｂにおいて、Ｌ１ｂからＬ６ｂまでの６個が現れているが、１つの発光領域２５内には２４個あり、これらをまとめて「Ｌｎ」として表す。
また、封入体２９ａ，２９ｂ，２９ｃ，２９ｄは、発光領域２５ａ，２５ｂ，２５ｃ，２５ｄに対応し、他の封入体と区別して説明する必要がある場合以外、単に、「封入体２９」として表す。
【００２２】
ＬＥＤ素子Ｌｎは、公知のＬＥＤ素子、例えば、ＩｎＧａＮ系のものが使用され、バンプ、ダイボンド、半田、ワイヤー等により基板２７の配線パターンに電気的に接続される。なお、本例ではＬＥＤ素子Ｌｎから発せられる光色は青色であり、ＬＥＤ素子Ｌｎはバンプを介して配線パターンに直接実装（接続）されている。
封入体２９は、ＬＥＤ素子Ｌｎを封入して、ＬＥＤ素子Ｌｎが外気に直接晒されるのを防止する機能の他、ＬＥＤ素子Ｌｎから発せられた光を利用して、光源から所望の光色を出力するための波長変換機能も有する。
【００２３】
波長変換機能について具体的に説明すると、各ＬＥＤ素子Ｌｎからの光の全部を波長変換したり、各ＬＥＤ素子Ｌｎからの光の一部を波長変換して変換後の光とＬＥＤ素子Ｌｎからの残りの光とで混色させたりする。
封入体２９は、波長変換する波長変換物質、例えば蛍光体粒子と、光を拡散させる拡散剤、例えばシリカ粉末と、母材として例えば樹脂やセラミック等を利用して構成されている。ここでの封入体２９は、主成分（重量比率で５０（％）以上を占める。）がシリコーン系の樹脂材料であり、蛍光体粒子として黄色発光のものが利用されている。
【００２４】
これにより、ＬＥＤ素子Ｌｎから発せられた青色光は、蛍光体粒子によってその一部が黄色光に変換され、変換後の黄色光とＬＥＤ素子Ｌｎからの青色光とにより、発光領域２５（ＬＥＤランプ５）から出射される際には白色光となる。
放熱板３１は、発光時のＬＥＤ素子Ｌｎの熱を放出する機能を有すると共に、基板２７の強度・剛性等の機械的特性を補強する機能も有する。なお、基板２７と放熱板３１の中央部には、図４に示すように、貫通孔２８が形成されており、この貫通孔２８を利用して、当該発光部１７が連結部２３により本体部１９に装着（連結）される。
【００２５】
放熱板３１の中央付近には貫通孔３２があり、この貫通孔３２を介して基板２７の裏面が露出しており、この基板２７の露出部分に、本体部１９内の回路ユニット２１と電気的に接続するための接続端子３３が設けられている。なお、この接続端子３３は、各発光領域２５内のＬＥＤ素子Ｌｎと電気的に接続する配線パターンと接続されている。
（ｃ）本体部
図５は、本体部を示す図であり、内部の様子が分かるように一部断面図で示す。
【００２６】
本体部１９は、図５に示すように、両端が開口した筒体４１と、筒体４１の一端に取着された口金４３と、筒体４１の他端を塞ぎ且つ筒体４１に対して回転自在に装着された蓋体４５と、筒体４１と蓋体４５とから形成される内部空間に収納された回路ユニット２１と、蓋体４５に対して屈曲自在に装着され且つ連結部２３を着脱自在に装着するための装着部材４７とを備える。
【００２７】
筒体４１は、同図に示すように、外径の異なる小径部分５１と大径部分５３と、小径部分５１と大径部分５３との間のテーパー部分５５とを有する。
筒体４１の内部には回路ユニット２１が収納され、小径部分５１の外周に口金４３が装着されている。口金４３は、例えば、エジソンタイプのＥ１７であり、シェル部５７とアイレット部５９とを有する。
【００２８】
回路ユニット２１は、口金４３を介して供給された交流電力を所定の直流電力に変換して、ＬＥＤ素子Ｌｎを発光させる。回路ユニット２１は、整流ダイオード、平滑コンデンサ、抵抗等の電子部品６１を有し、これらの電子部品６１は、図５に示すように、基板６３に実装されている。
筒体４１の大径部分５３の内周面には、回路ユニット２１の基板６３が挿入される挿入溝６５が形成されている。この挿入溝６５は、例えば大径部分５３の全周に亘って連続して形成されている。挿入溝６５の蓋体４５側には係止爪６７ａ，６７ｂが複数、例えば２個形成されており、挿入溝６５に嵌合している基板６３を係止している。
【００２９】
なお、回路ユニット２１と口金４３（正確にはシェル部５７とアイレット部５９である。）とは、図示しない配線により電気的に接続されている。また、回路ユニット２１と発光部１７との電気的接続は後述する。
蓋体４５は、図５に示すように、全体形状が例えば有底筒状をし、円盤状の底部分７１と、底部分７１の周縁から延出する筒状の外側円筒部分７３と、底部分７１の内面中央から外側円筒部分７３と平行に延出する内側円筒部分７５と、底部分７１の外面中央から外側円筒部分７３と反対側に延出する平板状の平板部分７７とを有する。
【００３０】
内側円筒部分７５は、当該中心軸が外側円筒部分７３の中心軸及び筒体４１の中心軸と一致し、内側円筒部分７５の先端（換言すると、底部分７１と反対側の端部である。）及び中間の外周には、回路ユニット２１と電気的に接続するための端子８１，８３が中心軸方向に並列して二重に形成されている。
端子８１，８３は、例えば、内側円筒部分７５の先端及び中間に圧入された薄肉の金属筒や、先端や中間に形成されためっき等により構成され、各端子８１，８３は、蓋体４５の貫通孔８５ａ、内側円筒部分７５の貫通孔８５ｂを通って内部に導入されたケーブル線８７の一対の配線８９，９１のそれぞれと接続されている。なお、ケーブル線８７における端子８１，８３と接続される端と反対側の端は、図４に示すように、発光部１７の接続端子３３と接続されている。
【００３１】
平板部分７７は、後述の装着部材４７の切欠き部１０６に挿入可能な厚みであり、切欠き部１０６内に挿入された状態で、装着部材４７の突起１１１，１１３に対応する位置に凹み１０１，１０３を有する。つまり、凹み１０１，１０３は、図５に示すように、平板部分７７の両主面であって本体部１９の中心軸と直交する仮想線分（図５中のＸ３−Ｘ３線と一致する。）と交差する部位に形成されている。
【００３２】
装着部材４７は、その一端部４７ａが蓋体４５の平板部分７７に対して屈曲自在に装着され、他端部４７ｂに連結部２３が着脱自在に連結（装着）される。なお、他端部４７ｂは、連結部２３である雄ネジ１１５（連結部材ともいう。）が螺合するための雌ネジ部１０５を有する。
装着部材４７は、例えば、図１、図２及び図５等に示すように、全体として筒状をし、一端部４７ａには平板部分７７が挿入される切欠き部１０６を有することで、当該切欠部１０６の両側部分が前記平板部分７７を把持する一対の把持腕１０７，１０９となっている。
【００３３】
一対の把持腕１０７，１０９は、互いに対向する面に、平板部分７７の一対の凹み１０１，１０３のそれぞれに嵌合する一対の突起１１１，１１３を装着部材４７の中心軸と直交する仮想線分（図５中のＸ３−Ｘ３線と一致する。）上に有している。
切欠き部１０６は、平板部分７７が一対の把持腕１０７，１０９により把持された状態で、当該平板部分７７が装着部材４７に対して１８０度程度屈曲することを許容する大きさである。これにより、装着部材４７が蓋体４５に対して屈曲自在に装着されることになる。
（ｄ）連結部
連結部２３は、発光部１７を本体部１９に対して着脱自在に連結するものであり、ここでは、雄ネジ１１５が利用されている。具体的には、雄ネジ１１５は、図２及び図４に示すように、頭部１１７と胴部１１９と雄ネジ部１２１とを有している。頭部１１７は、発光部１７の基板２７及び放熱板３１の中央に形成されている貫通孔２８の径よりも大きい。
【００３４】
これにより、発光部１７の貫通孔２８に対して雄ネジ１１５を下方から挿入し、雄ネジ１１５の頭部１１７の首を発光部１７の基板２７の下面（発光領域２５側である。）であって貫通孔２８の周辺部分に当接させると、発光部１７の落下を防止できる。
なお、雄ネジ１１５の雄ネジ部１２１は、図５に示すように、装着部材４７の他端部４７ｂ側の雌ネジ部１０５に螺合する。
【００３５】
ここで、本実施の形態における連結部は、雄ネジ１１５と、当該雄ネジ１１５の雄ネジ部１２１が螺合する本体部１９の装着部材４７の雌ネジ部１０５と、雄ネジ１１５の頭部１１７が係合する発光部１７の基板２７の貫通孔２８の周辺部分とにより構成されることになる。
（ｅ）回転自在な構造
本実施の形態におけるＬＥＤランプ５は、本体部１９が発光部１７に対して回転自在な構造となっている。具体的には、本体部１９における蓋体４５が筒体４１に対して回転自在に装着されている。
【００３６】
図６は、図５におけるＸ２−Ｘ２線における断面を矢印方向から見た図である。
蓋体４５と筒体４１との間の回転自在な構造は、例えば、図５及び図６に示すように、口金４３の回転軸と直交する仮想平面内においてその周方向の全周に亘って形成された一本の溝と、当該溝に嵌合する嵌合突起とを有し、当該嵌合突起が溝に嵌合することで行われる。
【００３７】
第１の実施の形態では、上記の溝が蓋体４５に、上記の嵌合突起が筒体４１にそれぞれ形成されている。
蓋体４５の外側円筒部分７３は筒体４１の大径部分５３の端部に内挿され、外側円筒部分７３と大径部分５３とが重なった領域において、大径部分５３の内周面には中心軸側に突出する嵌合突起５４が、蓋体４５の外側円筒部分７３の外周面に中心軸側に凹入する溝７４がそれぞれ形成されている。
【００３８】
上記溝７４に嵌合突起５４が嵌合することで、蓋体４５が筒体４１に対して回転自在に装着されることになる。なお、図５及び図６から分かるように、筒体４１における嵌合突起５４の突出端での内径は蓋体４５の外側円筒部分７３の外径よりも小さくなっており、上記溝７４と嵌合突起５４とが嵌合することで蓋体４５が筒体４１から外れ難い状態で装着されることとなる。
【００３９】
なお、ここでは、筒体４１に嵌合突起５４を、蓋体４５に溝７４を設けているが、筒体に溝を設け、蓋体に嵌合突起を形成しても良いし、嵌合突起は全周に亘って形成されていなくても、周方向に複数個、例えば、等間隔で３個設けるようにしても良い。
（ｆ）屈曲自在に構造
本実施の形態におけるＬＥＤランプ５は、本体部１９が発光部１７に対して屈曲自在な構造となっている。具体的には、装着部材４７が蓋体４５に対して屈曲自在に装着されている。
【００４０】
図７は、図５におけるＸ３−Ｘ３線における断面を矢印方向から見た図である。
蓋体４５と装着部材４７との間の屈曲自在な構造は、例えば、図５及び図７に示すように、口金４３の回転軸（筒体４１の中心軸）と直交する方向に延伸する仮想線上に設けられ且つ凹凸関係にある少なくとも１組の突起と凹部とを有し、当該突起が凹部に嵌合することで行われる。
【００４１】
第１の実施の形態では、上記の凹部が平板部分７７に、上記の突起が装着部材４７にそれぞれ形成されている。
平板部分７７は、装着部材４７の一端部４７ａに形成されている切欠き部１０６に挿入される。平板部分７７の外面が装着部材４７の一端部４７ａの一対の把持腕１０７，１０９の内面と対向する領域において、把持腕１０７，１０９の内面には切欠部１０６側へと突出する突起１１１，１１３が、平板部分７７の外面（つまり、把持腕１０７，１０９に対向する面である。）にはその厚み方向に凹入する凹部１０１，１０３がそれぞれ形成されている。なお、突起１１１，１１３は半球形状の突出し、凹部１０１，１０３は前記突起１１１，１１３に突出形状に対応した凹入形状（ここでは半球形状である。）をしている。
【００４２】
上記突起１１１，１１３が凹部１０１，１０３に嵌ることで、平板部分７７が装着部材４７に対して屈曲自在に装着されることになる。なお、図５及び図７から分かるように、把持腕１０７，１０９における突起１１１，１１３の突出先端間の距離寸法が平板部分７７の厚み寸法より小さくなっており、上記突起１１１，１１３と凹部１０１，１０３とが嵌合することで装着部材４７が蓋体４５から外れ難い状態で装着されることとなる。
【００４３】
なお、ここでは、装着部材４７に突起１１１，１１３を、蓋体４５に凹部１０１，１０３をそれぞれ設けているが、装着部材４７に凹部を設け、蓋体４５に突起を形成しても良いし、突起及び凹部は、２組でなくても良く、切欠部１０６の大きさによっては１組でも良い場合がある。
２．ＬＥＤランプの装着方法について
図８は、ＬＥＤランプ５の照明器具３への装着方法についての説明図である。
【００４４】
まず、ＬＥＤランプ５を準備し、連結部２３を装着部材４７から外して、本体部１９から発光部１７を取り外す。これによりＬＥＤランプ５における口金４３の中心軸方向の寸法が小さくなる。
この状態で、図８の（ａ）に示すように、ＬＥＤランプ５の本体部１９を器具本体９の内部へと挿入させて、口金４３の中心軸とソケット１１の中心軸とが略一直線上となるように、本体部１９をソケット１１に対して位置合わせを行う。
【００４５】
そして、ＬＥＤランプ５の本体部１９をソケット１１側へと移動させ、口金４３をソケット１１内へと当接するまで挿入させた後、本体部１９のみを、口金４３の中心軸を回転中心として、本体部１９がソケット１１内に進入する方向に回転させる。これにより、口金４３がソケット１１内へと進入し、やがて、図８の（ｂ）に示すように、口金４３の先端のアイレット部５９がソケット１１のアイレット接片に当接し、本体部１９の照明器具３のソケット１１への装着が完了する。
【００４６】
この際、本体部１９は、蓋体４５が筒体４１に対して回転自在であるため、口金４３を装着すべく筒体４１を回転させても、ケーブル線８７がねじれるようなこともない。
次に、装着部材４７の他端部４７ｂの端面が下方を向くように、当該装着部材４７が装着されている蓋体４５を筒体４１に対して回転させると共に、装着部材４７を本体部１９に対して屈曲させる。これにより、同図の（ｂ）に示すように、装着部材４７の他端部４７ｂの端面が下方を向く。
【００４７】
そして、連結部２３の雄ネジ部１２１を、装着部材４７の雌ねじ部１０５の入り口（つまり、装着部材４７の他端部４７ｂである。）に位置合わせして、雄ネジ部１２１を装着部材４７の雌ねじ部１０５に対して所定方向（例えば図８の（ｂ）で回転を示す矢印の指す方向である。）に回転させる。
これにより、同図の（ｃ）に示すように、発光領域２５が下方を向く状態で、発光部１７が本体部１９に対して装着され、また、ＬＥＤランプ５の照明器具３への装着が完了する。
【００４８】
この際、本体部１９と発光部１７とが分離する構造を有するため、例えば、本体部１９と発光部１７とが連結部で連結された一体構造となっているＬＥＤランプ５では器具本体９内に入らない場合でも、発光部１７と分離した本体部１９が器具本体９内に入れば、結果的にＬＥＤランプ５を照明器具３に装着できることとなる。
＜第２の実施の形態＞
第１の実施の形態におけるＬＥＤランプ５では、発光部１７と本体部１９を連結させる連結部をして連結部材（雄ネジ１１５）を利用していたが、他の構成の連結部で両者を着脱自在としても良い。以下、発光部と本体部とからＬＥＤランプを構成する第２の実施の形態について説明する。
１．構成
図９は、第２の実施の形態における照明装置の一部断面図であり、図１０は、第２の実施の形態におけるＬＥＤランプを示す図である。
【００４９】
照明装置２００は、第１の実施の形態と同様に、図９に示すように、照明器具３とＬＥＤランプ２０１とを備える。なお、第１の実施の形態等で説明した構成と同じ構造について、同じ名称・符号を用いるものとし、照明器具３は、第１の実施の形態と同じであるため、その説明は省略する
ＬＥＤランプ２０１は、本体部２０３と発光部２０５とを備え、両者は着脱自在な構造を有していると共に、発光部２０５は、本体部２０３に対して屈曲自在であり、発光部２０５が本体部２０３に対して屈曲した状態で、本体部２０３が発光部２０５に対して回転自在となっている。
【００５０】
図１１は、発光部と本体部とを脱着させた状態を示す図であり、内部の様子が分かるように各部の一部を切り欠いている。
（１）本体部
本体部２０３は、図１０〜図１１、特に図１１に示すように、第１筒体２０７と、当該第１筒体２０７の一端側に装着された口金４３と、第１の筒体２０７の他端に装着された第２筒体２０９とを備える。
【００５１】
ここでの第２筒体２０９は、第１筒体２０７に対して口金４３の回転軸廻りに回転自在に装着されている。なお、この回転自在な構造については後述する。
第１筒体２０７は、横断面形状が円環状をし、他端側が開口している。
第１筒体２０７の内周面には、当該第１筒体２０７の周方向を連続して一周する環状の導電部２１１，２１３が形成されている。導電部２１１，２１３は口金４３のシェル部４３ａ，アイレット部４３ｂに接続された配線２１５，２１７と接続されている。なお、導電部２１１，２１３は、第１筒体２０７の中心軸に沿う方向に並列して設けられており、互いに接触することはない。
【００５２】
第２筒体２０９は、横断面形状が円環状であって直径の小さな円筒部分２０９ａと、横断面形状が矩形（ここでは正方形である。）の環状であって円筒部分２０９ａよりも直径の大きな辺を有する矩形筒部分２０９ｂとを、第１筒体２０７側からこの順で備える。
矩形筒部分２０９ｂの円筒部分２０９ａと反対側端は端壁２０９ｃにより塞がれ、図１１に示すように、円筒部分２０９ａの矩形筒部分２０９ｂと反対側端は塞がれていない（開口している）。
【００５３】
第２筒体２０９の矩形筒部分２０９ｂの横断面における一辺の長さと第１筒体２０７の外径とは略同じで、第１筒体２０７の第２筒体２０９側の端部内周面と円筒部分２０９ａの外周面との間には軸受け２１９が配されている。これにより、第１筒体２０７と第２筒体２０９とが互いに回転自在な構造となる。
円筒部分２０９ａの内面には、当該内面から第１筒体２０７側へとスプーン状に延出して導電部２１１，２１３と電気的に接続する接続端子２２１，２２３が取り付けられている。
【００５４】
矩形筒部分２０９ｂは、横断面形状の正方形状をし、互いに対向する２つの面２０９ｅ，２０９ｆ（側壁）において内方へと凹入する凹入部２２５，２２７を有する。凹入部２２５，２２７の底には、発光部２０５側と電気的に接続するための導電部２２９，２３１が設けられている。なお、導電部２２９，２３１は、配線２３３，２３５により接続端子２２１，２２３と接続されている。
（２）発光部
発光部２０５は、特に図１１に示すように、平板状のベース２５１と、当該ベース２５１の一主面２５１ａに実装された発光モジュール２５３と、前記ベース２５１の一主面２５１ａ側に装着され前記発光モジュール２５３を覆うグローブ２５４と、ベース２５１の一主面２５１ａと反対側の他主面２５１ｂに本体部２０３に対応する間隔をおいて互いに対向する一対の対向部材２５５，２５７とを備える。
【００５５】
ベース２５１は、発光モジュール２５３を搭載する機能を有する他、例えば、発光モジュール２５３を発光させた際の熱を放熱させる機能を有している。
発光モジュール２５３は、図１０に示すように、基板２６０と、この基板２６０に実装された複数のＬＥＤ素子２Ｌｎ（図１０では、「２Ｌ１」、「２Ｌ２」、「２Ｌ３」で表している。）と、各ＬＥＤ素子２Ｌｎを封入する封入体２Ｒｎ（図１０では、ＬＥＤ素子２Ｌ１，２Ｌ２，２Ｌ３に対応して、「２Ｒ１」、「２Ｒ２」、「２Ｒ３」で表している。）とを備える。
【００５６】
ここで、封入体は、他の封入体と区別して説明する必要がある場合以外、単に、「封入体２Ｒｎ」として表す。
封入体２Ｒｎは、第１の実施の形態と同様に、ＬＥＤ素子２Ｌｎから発せられた光の波長を変換する波長変換部材（蛍光体粒子）が含まれている。
一対の対向部材２５５，２５７は、それぞれが箱状をすると共に本体部２０３を両側から挟むように、ベース２５１の他主面２５１ｂ（裏面）から平行に立設している。つまり、本体部２０３と発光部２０５とが装着された状態で、本体部２０３と対向し且つ互いに平行となる対向面２５５ａ，２５７ａを有している。
【００５７】
一対の対向部材２５５，２５７には、一対の対向部材２５５，２５７間に配される（若しくは配された）本体部２０３を着脱自在に装着するための装着手段２５９，２５９が設けられている。なお、対向部材２５７側の装着手段の図示を省略しているが、装着手段２５９と同様の構成の装着手段を有している。
装着手段２５９は、対向部材２５５，２５７に設けられた操作ボタン２６１と、対向面（例えば、「２５５ａ」である。）から相手の対向面（例えば、「２５７ａ」である。）側へと出入自在に設けられ且つ本体部２０３の凹入部２２５，２２７に係合（嵌合）する可動体２６３と、前記操作ボタン２６１の操作により前記可動体２６３を出入させる出入機構とを備える。
【００５８】
出入機構は、例えば、中央部が回転自在に軸支されたリンク棒２６５の各端に可動体２６３と操作ボタン２６１とを連結させたリンク機構２６７を利用している。なお、操作ボタン２６１と可動体２６３は、凹入部２６９，２７１内での移動（出入）をスムーズに行うため、操作ボタン２６１及び可動体２６３が連結棒２７３，２７５を介してリンク棒２６５に連結され、連結棒２７３，２７５は操作ボタン２６１、可動体２６３及びリンク棒２６５に対して揺動自在にピン２７７，２７９により連結されている。
【００５９】
装着手段２５９は、上記構成に加え、可動体２６３を対向面２５５ａから張り出す状態に付勢する付勢手段、例えば、付勢バネ２８１を備える。これにより、対向面２５５ａから張り出す状態（通常の状態）の可動体２６３（図１１に示す状態である。）を、操作ボタン２６１の操作（具体的には押し込む操作）に従って対向面２５５ａよりも内側（対向部材２５５内）へと凹入させることができる。
【００６０】
可動体２６３の可動方向、つまり可動体２６３の出入り方向の先端には導電部２８３を有し、この導電部２８３と発光モジュール２５３とが配線２８５，２８７により電気的に接続されている。つまり、可動体２６３，２６３が本体部２０３の凹入部２２５，２２７に嵌合したときに、可動体２６３，２６３の導電部２８３，２８３と凹入部２２５，２２７の底にある導電部２２９，２３１とが接触して電気的に接続する。
【００６１】
本実施の形態における連結部は、本体部２０３の凹入部２２５，２２７と、当該凹入部２２５，２２７に嵌合する可動体２６３を含んだ発光部２０５の装着手段２５９とから構成される。
２．ＬＥＤランプの装着方法について
図１２は、ＬＥＤランプ２０１の照明器具３への装着方法についての説明図である。
【００６２】
まず、ＬＥＤランプ２０１を準備し、発光部２０５の操作ボタン２６１，２６１を操作（押圧して、可動体２６３，２６３の本体部２０３側の凹入部２２５，２２７との嵌合（係合）を解除して、発光部２０５と本体部２０３とを分離させる。
そして、同図の（ａ）に示すように、本体部２０３を器具本体９の内部へと挿入させて、口金４３の中心軸とソケット１１の中心軸とが略一直線上となるように、本体部２０３をソケット１１に対して位置合わせを行う。
【００６３】
そして、ＬＥＤランプ２０１の本体部２０３をソケット１１側へと移動させ（例えば、同図の直線状の矢印方向である。）、口金４３をソケット１１内で当接するまで挿入させた後、本体部２０３を、口金４３の中心軸を回転中心として、本体部２０３がソケット１１内に進入する方向に回転させる（例えば、同図の円弧状の矢印方向である。）。
これにより、口金４３がソケット１１内へと進入し、やがて、図１２の（ｂ）に示すように、口金４３の先端のアイレット部５９がソケット１１のアイレット接片に当接し、本体部２０３の照明器具３のソケット１１への装着が完了する。
【００６４】
次に、発光部２０５を本体部２０３に装着するために、第２筒体２０９の凹入部２２５，２２７を結ぶ仮想線分が上下方向（器具本体９の中心軸の延伸する方向）と直交するように、第２筒体２０９を第１筒体２０７に対して回転させて位置調整する。
その後、発光部２０５の操作ボタン２６１を操作して、対向部材２５５，２５７の可動体２６３を対向部材２５５，２５７内に凹入させた状態で、一対の対向部材２５５，２５７間に本体部２０３が存在するように、発光部２０５を本体部２０３に対して図１２の（ｂ）の矢印方向に移動させる。
【００６５】
そして、発光部２０５の可動体２６３，２６３と、本体部２０３の凹入部２２５，２２７との位置が一致するように、本体部２０３に対する発光部２０５の位置合わせをし、可動体２６３，２６３と凹入部２２５，２２７との位置が一致すると、操作ボタン２６１の操作（押圧）を解除する。
これにより、対向部材２５５，２５７の可動体２６３，２６３が対向面２５５ａ，２５７ａから張り出して本体部２０３の凹入部２２５，２２７内へと進入し、両者が係合することとなり、同図の（ｃ）に示すように、発光モジュール２５３が下方を向く状態で、発光部２０５が本体部２０３に対して装着され、また、ＬＥＤランプ２０１の照明器具３への装着が完了する。
【００６６】
この際、本体部２０３と発光部２０５とが分離する構造を有するため、例えば、本体部２０３と発光部２０５とが連結した一体構造となっているＬＥＤランプ２０１では器具本体９内に入らない場合でも、発光部２０５と分離した本体部２０３が器具本体９内に入れば、結果的にＬＥＤランプ２０１を照明器具３に装着できることとなる。
＜第３の実施の形態＞
第２の実施の形態における本体部２０３と発光部２０５との連結形態は、発光部２０５の一対の対向部材２５５，２５７により本体部２０３の第２筒体２０９が挟持されているが、発光部と本体部とが互いに連結（装着）できる形態であれば良く、発光部が本体部により挟持される形態であっても良い。以下、発光部が本体部により挟持される形態を第３の実施の形態として説明する。
【００６７】
図１３は第３の実施の形態における照明装置の一部断面図であり、図１４は第３の実施の形態におけるＬＥＤランプを示す図である。
なお、上記で説明した構成と同じ構造について、同じ名称・符号を用いるものとし、その説明を省略する。
照明装置３００は、第１及び第２の実施の形態と同様に、図１３に示すように、照明器具３とＬＥＤランプ３０１とを備える。
【００６８】
ＬＥＤランプ３０１は、本体部３０３と発光部３０５とを備え、両者は着脱自在な構造を有していると共に、本体部３０３と発光部３０５とは装着状態では、図１３に示すように、屈曲自在な構造となっている。
図１５は、ＬＥＤランプの発光部と本体部とを脱着させた（外した）状態を示す図であり、（ａ）は図１３及び図１４と同じ方向から見た図であり、（ｂ）は（ａ）の矢印Ａ方向から見た図である。
【００６９】
本体部３０３は、図１５に示すように、第１筒体３０７と、第２筒体３０９と、口金４３とを備え、第１筒体３０７に口金４３が装着され、第１筒体３０７に対して第２筒体３０９が回転自在に装着されている。
第１筒体３０７は、第２の実施の形態における本体部２０３の第１筒体２０７と同じ構成である。第２筒体３０９は、円筒部分と、横断面形状が矩形状の矩形筒部分３０９ａと、所定の間隔をおいて対向する一対の対向部分３０９ｂ，３０９ｃとを有している。
【００７０】
第１筒体３０７及び第２筒体３０９の円筒部分は、第２の実施の形態と同じ構成であり、第１筒体３０７と第２筒体３０９との間の回転自在な構造は第２の実施の形態における第２筒体２０９と第１筒体２０７との間の回転自在な構造と同じである。
一対の対向部分３０９ｂ，３０９ｃは、互いに対向する各面に凹入部３１１，３１３が形成されている。この凹入部３１１，３１３の底には導電部が設けられ、配線３１５，３１７を介して口金４３と電気的に接続する。なお、導電部から口金４３までの電気的接続は、第２の実施の形態における本体部２０３と同様である。
【００７１】
発光部３０５は、発光モジュール２５３、放熱体（ヒートシンク）３２３、ベース部材３２５、グローブ３２７を備える。
ベース部材３２５は、放熱体３２３に取着するための中空の円盤状の装着部分３２９と、装着部分３２９の中央部から外方に延伸する筒部分３３１とを備える他、本体部３０３の一対の対向部分３０９ｂ，３０９ｃの凹入部３１１，３１３に嵌合して、発光部３０５を本体部３０３に着脱自在に装着するための装着手段３３２が設けられている。
【００７２】
装着手段３３２は、装着部分３２９に設けられた操作ボタン３３３と、筒部分３３１の所定位置に設けられた可動体３３５，３３７と、前記操作ボタン３３３の操作により前記可動体３３５，３３７を出入させる出入機構とを備える。
出入機構は、例えば、回転体３３９に可動体３３５，３３７と操作ボタン３３３とを連結させた回転機構を利用している。つまり、操作ボタン３３３が連結棒３４１を介して回転体３３９に連結され、また、可動体３３５，３３７は連結線３４３を介して回転体３３９に連結されている。これにより、操作ボタン３３３を操作すると、回転体３３９が回転して、可動体３３５，３３７が筒部分３３１内に入り込む。
【００７３】
装着手段３３２は、上記構成に加え、可動体３３５，３３７を筒部分３３１の外面から張り出す状態に付勢する付勢手段、例えば、付勢バネ３４５を備える。これにより、筒部分３３１の外面から張り出す状態（通常の状態）の可動体３３５，３３７（図１５の（ｂ）に示す状態である。）を、操作ボタン３３３の操作（具体的には押し込む操作）に従って外面よりも内側（筒部分３３１内）へと凹入させることができる。
【００７４】
可動体３３５，３３７の可動方向、つまり可動体３３５，３３７の出入り方向の先端には導電部を有し、この導電部と発光モジュール２５３とが配線（可動体３３５用の配線の図示は省略している。）３４７により電気的に接続されている。
本実施の形態における連結部は、本体部３０３の凹入部３１１，３１３と、当該凹入部３１１，３１３に嵌合する可動体３３５，３３７を含んだ発光部３０５の装着手段３３２とから構成される。
＜第４の実施の形態＞
第４の実施の形態では、発光部が本体部から給電を受けるための配線を利用して、発光部と本体部とを着脱自在に装着する場合について説明する。
【００７５】
図１６は第４の実施の形態における照明装置を示す図であり、図１７は第４の実施の形態におけるＬＥＤランプの本体部を示す図である。
照明装置４００は、図１６に示すように、照明器具３とＬＥＤランプ４０１とを備える。
ＬＥＤランプ４０１は、本体部４０３と発光部４０５とを備える。本体部４０３は発光部４０５に給電するための配線４１３の先端にソケット４１１を、発光部４０５は放熱板４２３の裏面にソケット４１１に装着されるアダプタ４２５を有し、ソケット４１１にアダプタ４２５が装着されることで発光部４０５が本体部４０３に装着される。
【００７６】
本体部４０３は、図１７に示すように、両端が開口する筒体４０７と、筒体４０７の一端側に装着された口金４３と、筒体４０７の他端側の開口を塞ぐ蓋体４０９と、筒体４０７内に配された回路ユニット２１と、発光部４０５側と電気的・機械的に接続するソケット４１１と、ソケット４１１と回路ユニット２１とを電気的に接続する配線４１３とを備える。
【００７７】
筒体４０７は、図１７に示すように、その他端に周方向に間隔おいて（ここでは、４分の１周分の間隔をおいて４箇所に内方へと突出する突部４１５を有し、蓋体４０９は、筒体４０７の４箇所の突部４１５に対応して、凹部４１７を有し、筒体４０７の突部４１５と蓋体４０９の凹部４１７とが嵌合して、蓋体４０９が筒体４０７に装着される。
ソケット４１１は、一端に底部分を有する有底筒状をし、内面が発光部４０５のアダプタ４２５である口金の外観形状に対応した形状をしている。
【００７８】
発光部４０５は、図１６に示すように、内部に１又は複数のＬＥＤ素子を含む１又は複数（ここでは１個である。）の発光モジュール４２１と、これらを搭載すると共にＬＥＤ素子発光時の熱を放熱させる放熱板（ヒートシンク）４２３と、放熱板４２３における発光モジュールと反対側に設けられ且つソケット４１１と装着するアダプタ４２５とからなる。なお、発光モジュール４２１は、ＬＥＤ素子、基板、波長変換部材等からなる。
【００７９】
発光部１７３は、放熱板４２３が、固定部材４２７、例えば、ねじ部材により天井７に固定されている。なお、放熱板４２３は、固定部材、例えば、ねじ部材により器具本体９に固定されるようにしても良い。
発光部４０５の放熱板４２３を例えば、器具本体９の開口９ｃよりも大きくすると、放熱板４２３により器具本体９を隠すことができ、新たな照明器具が装着されたかのようにできる。
【００８０】
なお、第４の実施の形態では、発光部と本体部との装着にソケットと口金を用いたが、当然他の方法（手段）で両者を着脱自在に装着しても良い。
＜変形例＞
以上、本発明を実施の形態に基づいて説明したが、本発明の内容が、上記の実施の形態やその中での変形例等に示された具体例に限定されないことは勿論であり、例えば、以下のような変形例を実施することができる。
１．口金について
上記実施の形態等での口金は、エジソンタイプのＥ１７であったが、他のサイズ、例えばＥ２６でも良い。さらに、エジソンタイプ以外であっても良い。他のタイプとしては、所謂、Ｇタイプ（ＧＸ、ＧＹ含む。）や、Ｐタイプがある。
２．発光部
発光部の形態は、上記実施の形態で説明した発光部に限定するものでなく、以下のような発光部であっても良い。
【００８１】
図１８は、変形例に係る照明装置の一部断面図である。
ＬＥＤランプ５０１は、第２の実施の形態で説明した本体部２０３と、発光部５０３とを備え、第２の実施の形態と同様に、両者は着脱自在な構造を有していると共に、本体部２０３と発光部５０３とは、装着状態において屈曲自在な構造となっている。
発光部５０３は、複数の発光モジュール２５３，２５３と、複数の発光モジュール２５３，２５３を搭載し、裏面側の中央が凹入している放熱体（ヒートシンク）５０５と、複数の発光モジュール２５３，２５３を覆い且つ放熱体５０５に接合されたドーム状のグローブ５０７と、所定の間隔をおいて対向して設けられ且つ本体部２０３と連結するための一対の対向部材５０９とを備える。
３．封入体
第１の実施の形態における封入体２９は発光領域内２５の全てのＬＥＤ素子Ｌｎを覆うように設けられ、第２の実施の形態における封入体２Ｒｎは１つのＬＥＤ素子Ｌｎを覆うように複数設けられている。
【００８２】
このように、封入体は、一つの連続した形状で全てのＬＥＤ素子Ｌｎを覆うようにしても良く、或いは、複数に分割した形状で一つ又は複数のＬＥＤ素子Ｌｎを覆うようにしても良い。
なお、複数のＬＥＤ素子を個別に覆う場合、各ＬＥＤ素子を覆う封入体が他の封入体から完全に独立する状態でも良いし、各ＬＥＤ素子を覆う封入体が基板表面上に形成された薄肉の連結部（封入体を構成する材料で同じ材料で形成されている。）により連結されていても良い。
４．発光モジュール
上記実施の形態等では、発光モジュールの全体形状が平面視において略正方形状や略円形状であったが、他の形状であっても良い。例えば、他の形状としては、楕円形状（円形状を含む。）、長方形状、四角形状以外の多角形状、例えば、略三角形状や略五角形状であっても良い。
【００８３】
また、発光モジュールについては、特に詳細に説明しなかったが、発光部として利用される発光素子であるＬＥＤ素子の数、配列、接続方法（直列・並列接続である。）は、目的とする照明用光源に仕様、例えば、発光光束、配光特性等に合わせて適宜決定すれば良い。
さらに、使用するＬＥＤ素子や波長変換部材についても特に説明していないが、目的とする照明用光源の光色に合わせて、ＬＥＤ素子の発光色、波長変換部材等の仕様を適宜決定すれば良い。
５．発光モジュールの取着方法
上記実施の形態等では、発光モジュールの放熱部材等への取着方法について説明していないが、周知技術を用いて行うことができる。例えば、発光モジュールを放熱部材等にネジにより螺着しても良いし、接着剤等の固着剤を利用しても良いし、発光モジュール専用のソケットを放熱部材に装着し、このソケットに発光モジュールを着脱自在に取着するようにしても良い。
【産業上の利用可能性】
【００８４】
本発明は、ダウンライト用照明器具に装着することができる電球形照明光源に利用可能である。
【符号の説明】
【００８５】
３    照明器具
５    ＬＥＤランプ
９    器具本体
１１    ソケット
１７    発光部
１９    本体部
２１    回路ユニット
２３    連結部
４３    口金
【図１】
2011129358.tif 000003
【図２】
2011129358.tif 000004
【図３】
2011129358.tif 000005
【図４】
2011129358.tif 000006
【図５】
2011129358.tif 000007
【図６】
2011129358.tif 000008
【図７】
2011129358.tif 000009
【図８】
2011129358.tif 000010
【図９】
2011129358.tif 000011
【図１０】
2011129358.tif 000012
【図１１】
2011129358.tif 000013
【図１２】
2011129358.tif 000014
【図１３】
2011129358.tif 000015
【図１４】
2011129358.tif 000016
【図１５】
2011129358.tif 000017
【図１６】
2011129358.tif 000018
【図１７】
2011129358.tif 000019
【図１８】
2011129358.tif 000020